(57)【要約】【課題】操作利便性の高い電子機器を提供すること。【解決手段】時間変数を用いて所定の処理を実行する実行手段と、操作者の操作状況を検出する検出手段と、前記検出手段で検出された操作者の操作状況に基づいて操作者の操作レベルを判定する判定手段と、前記判定手段で判定された操作者の操作レベルに基づいて前記時間変数を変更する変更手段と、を備える。【選択図】図１
2014099092.tif 000002
【特許請求の範囲】
【請求項１】
時間変数を用いて所定の処理を実行する実行手段と、
操作者の操作状況を検出する検出手段と、
前記検出手段で検出された操作者の操作状況に基づいて操作者の操作レベルを判定する判定手段と、
前記判定手段で判定された操作者の操作レベルに基づいて前記時間変数を変更する変更手段と、
を備える電子機器。
【請求項２】
前記操作状況の検出は押下ボタンの押下操作時間を検出するものである請求項１に記載の電子機器。
【請求項３】
前記操作状況の検出は所定時間内での同一操作の繰り返し頻度を検出するものである請求項１に記載の電子機器。
【請求項４】
前記操作状況の検出は操作者の操作間隔時間を検出するものである請求項１に記載の電子機器。
【請求項５】
前記所定の処理は所定の設定画面を表示する処理であり、前記時間変数は前記所定の設定画面の表示時間である請求項１〜請求項４のいずれか１項に記載の電子機器。
【請求項６】
前記所定の処理は出力音量を増減する処理であり、前記時間変数は前記出力音量の増減の変化時間である請求項１〜請求項４のいずれか１項に記載の電子機器。
【請求項７】
前記所定の処理は表示映像を切り替える処理であり、前記時間変数は前記表示映像の切替時間である請求項１〜請求項４のいずれか１項に記載の電子機器。
【発明の詳細な説明】
【技術分野】
【０００１】
本発明は、電子機器に関する。
【背景技術】
【０００２】
テレビ、ＢＤ／ＤＶＤプレーヤ、携帯電話等の携帯通信端末などの電子機器が普及している。一般的に電子機器はリモコンによって操作される。リモコンには押下ボタンが配されており、各押下ボタンを押下することで、各押下ボタンに割り当てられた機能を利用することができる。
【０００３】
電子機器にはユーザの好みに応じて変更可能な複数の設定項目がある。それらの設定は工場出荷時に予め定められているものの、ユーザは押下ボタンを操作することで電子機器の設定を任意の設定に変更することが可能である。
【先行技術文献】
【特許文献】
【０００４】
【特許文献１】特開２００５−２５１０３４号公報
【発明の概要】
【発明が解決しようとする課題】
【０００５】
設定の変更は複雑なものになると何度も複数の押下ボタンを操作しなければならない場合があり、その場合にはスムーズに設定変更を行うことが困難である。一方で、設定画面は押下ボタンによる操作が行われなければ所定時間経過後に自動的に表示が終了されることがあり、設定変更が完了していない場合には再度設定画面を表示して設定変更しなければならなかった。
【０００６】
また、電子機器が音声を発する機器であるときは、音量ボタン（押下ボタンの一種）を操作して音量を大きくし、又は小さくすることが可能である。音量ボタンは長押しすることで音量が継続的に変化し、音量ボタンから指を離すことで音量の変化が止まる。音量ボタンを長押ししている際の音量の変化速度は速く、所望の音量を超えて大きくし、又は小さくしてしまうことがあった。この場合には再び音量ボタンを操作して音量を所望の音量にしなければならない。
【０００７】
特許文献１には操作者の文字列読解スピードに応じて文字列を表示する時間を定めることが記載されている。しかしながら操作者の操作レベルに応じて操作利便性の高い電子機器を提供することは開示されていない。
【０００８】
本発明は上述した問題点に鑑み、操作利便性の高い電子機器を提供することを目的とする。
【課題を解決するための手段】
【０００９】
上記目的を達成するために本発明の電子機器は、時間変数を用いて所定の処理を実行する実行手段と、操作者の操作状況を検出する検出手段と、前記検出手段で検出された操作者の操作状況に基づいて操作者の操作レベルを判定する判定手段と、前記判定手段で判定された操作者の操作レベルに基づいて前記時間変数を変更する変更手段と、を備えることを特徴としている。
【００１０】
また上記構成の電子機器において、前記操作状況の検出は押下ボタンの押下操作時間を検出するものであることが望ましい。
【００１１】
また上記構成の電子機器において、前記操作状況の検出は所定時間内での同一操作の繰り返し頻度を検出するものであることが望ましい。
【００１２】
また上記構成の電子機器において、前記操作状況の検出は操作者の操作間隔時間を検出するものであることが望ましい。
【００１３】
また上記構成の電子機器において、前記所定の処理は所定の設定画面を表示する処理であり、前記時間変数は前記所定の設定画面の表示時間であることが望ましい。
【００１４】
また上記構成の電子機器において、前記所定の処理は出力音量を増減する処理であり、前記時間変数は前記出力音量の増減の変化時間であることが望ましい。
【００１５】
また上記構成の電子機器において、前記所定の処理は表示映像を切り替える処理であり、前記時間変数は前記表示映像の切替時間であることが望ましい。
【発明の効果】
【００１６】
本発明によれば、実行手段は時間変数を用いて所定の処理を行う。時間変数は操作者の操作状況に基づいて判定される操作レベルに基づいて定められる。これにより時間変数は操作者の操作レベルに応じた適正値となる。上述したように実行手段は所定の処理を行う際に時間変数を用いるので、操作者の操作レベルに応じて所定の処理が行われる。従って操作者にとって本発明の電子機器は、自身の操作レベルに応じた処理を行うので操作利便性が高い。
【図面の簡単な説明】
【００１７】
【図１】電子機器の構成の一例を示すのブロック図
【図２】リモコンの一例を示す平面図
【図３】電子機器の制御部が実行する処理を示すフローチャート
【図４】判定部による操作レベルの判定結果と変更部による時間変数の変更の対応関係を示す第１の表
【図５】判定部による操作レベルの判定結果と変更部による時間変数の変更の対応関係を示す第２の表
【図６】操作レベルの平均値／適正値と時間変数との対応関係を示す表
【発明を実施するための形態】
【００１８】
以下に本発明の電子機器について図面を参照して説明する。図１は本発明の電子機器の構成を示すブロック図である。電子機器としては特に限られるものではなく、テレビ、ＢＤ／ＤＶＤプレーヤ、ＢＤ／ＤＶＤレコーダ、携帯電話・スマートフォン等の携帯通信端末など操作することでその機器の機能を発揮可能な電子機器であればよい。以下、本実施形態の電子機器を電子機器の一例であるＢＤレコーダとして説明する。
【００１９】
ＢＤレコーダ１は記憶部２、操作部３、表示部４、スピーカ５、制御部６を備える。
【００２０】
記憶部２は放送局により放送される番組や、インターネット配信されるコンテンツ等を記憶する記憶媒体である。本実施形態では特に放送局により放送される番組を記憶する場合について説明する。記憶部２はＢＤレコーダ１に内蔵されていることとしてもよいし、外付けされている（外部記憶媒体）であることとしてもよい。
【００２１】
操作部３はＢＤレコーダ１の機能を利用したり、ＢＤレコーダ１の設定を変更する際に操作される操作手段である。操作部３はＢＤレコーダ１本体に設けられる操作パネルであってもよいし、ＢＤレコーダ１と赤外線通信可能なリモコンであってもよい。本実施形態では操作部３がリモコンである場合を例に説明する。以下、「操作部３」を「リモコン３」と称することもある。図２はリモコン３の一例を示す平面図である。
【００２２】
図２に示すようにリモコン３は複数の押下ボタン（以下、「押下ボタン」を「ボタン」を略称することもある。）３１〜４７を有する。以下夫々のボタンについて説明する。電源ボタン３１はＢＤレコーダ１をＯＮ／ＯＦＦさせるためのボタンである。画面表示ボタン３２は選択した番組のチャンネル（以下、「チャンネル」を「ＣＨ」とも称する。）番号の表示を行うボタンである。入力切換ボタン３３は外部接続機器を含めた入力ソースを切り替えるボタンである。
【００２３】
ＣＨ選択ボタン３４は所望のＣＨ番号を選択する操作を行うためのボタンである。ＣＨ選択ボタン３４は複数のボタンを備えて左上から右下に向かって順に数字（本実施形態では１〜１２）が付され、各数字ボタンには夫々放送局が割り当てられる。操作者は例えば８が付されたＣＨ選択ボタン３４を押下することで当該ボタンに割り当てられた放送局を選局することができる。なお、ＣＨ選択ボタン３４の各ボタンに対する放送局の割り当ては自動的に行われることとしてもよいし、操作者によって任意に割り当てられることとしてもよい。
【００２４】
番組表ボタン３５は放送信号から抽出されたデータ信号に含まれているＥＰＧ情報に基づいてテレビ番組の番組表を後述する表示部４に表示させるためのボタンである。番組表には放送局毎に時系列順に番組名称及び番組の内容説明文が表示される。
【００２５】
メニューボタン３６はＢＤレコーダ１の所定の設定画面を後述する表示部４に表示させるためのボタンである。メニューボタン３６が押下されるとＢＤレコーダ１の設定画面がＯＳＤ表示され、各種設定を確認し、或いは変更することができる。
【００２６】
ｄボタン３７はデータ放送を表示するボタンである。データ放送には、現在放送中の番組に関する情報等番組連動データ放送、ユーザが番組内で行われるクイズに参加したりテレビショッピング等に対する申し込みを行うことが可能な双方向通信、天気予報や商品広告などを表示する独立データ放送がある。
【００２７】
戻るボタン３８は処理を一つ前の段階に戻す操作を行うボタンである。例えばｄボタン３７を押下した後に戻るボタン３８を押下するとでボタン３７が押下される前の状態、すなわちデータ放送の表示がなかった状態に戻る（データ放送の表示が消える）。
【００２８】
移動・決定ボタン３９はメニューボタン３６を押下した際に表示される設定画面やｄボタン３７を押下した際に表示されるデータ放送においてカーソルの位置を上下左右の方向へ移動させる移動ボタン３９１及びカーソルを移動して選択した項目を表示させることを決定する決定ボタン３９２を有する。移動ボタン３９１を押下して同一方向に連続してカーソルを移動させる際には、移動させたい回数移動ボタン３９１を押下することとしてもよいが、移動ボタン３９１の押下状態を持続する（移動ボタン３９１を長押しする）ことでカーソルを連続して移動させることができる。
【００２９】
音量ボタン４０は後述するスピーカ５から出力される音量を増減させるためのボタンである。音量ボタン４０の上端（△部４０１）が押下されると音量が１ずつ増加し、下端（▽部４０２）が押下されると音量が１ずつ減少する。音量ボタン４０を押下して音量を連続して増加又は減少させたい場合には、所望の音量となるまで音量ボタン４０の押下を繰り返すこととしてもよいが、音量ボタン４０の押下状態を持続する（音量ボタン４０を長押しする）ことで音量を連続して増加又は減少させることができる。
【００３０】
ＣＨ変更ボタン４１は選局されているＣＨを変更するボタンである。ＣＨ変更ボタン４１を押下すると現在選局されているＣＨを放送する放送局が割り当てられた一のＣＨ選択ボタン３４を起点として、ＣＨ選択ボタン３４に付された番号順に選局が変更される。ＣＨ変更ボタン４１の上端（△部４１１）が押下されると１大きな数字が付されたＣＨ選択ボタン３４に割り当てられた番組が選局され、下端（▽部４１２）が押下されると１小さな数字が付されたＣＨ選択ボタン３４に割り当てられた番組が選局される。
【００３１】
例えば現在、３が付されたＣＨ選択ボタン３４に割り当てられた放送局１の番組が選局されているとすると、△部４１１が押下されると４が付されたＣＨ選択ボタン３４に割り当てられた放送局２の番組が選局され、▽部４１２が押下されると２が付されたＣＨ選択ボタン３４に割り当てられた放送局３の番組が選局される。つまりＣＨ選択ボタン３４は所望の放送局の番組を直接選局することができるボタンであり、ＣＨ変更ボタン４１は他局（他の放送局）でどのような番組が放送されているかを確認するために全ＣＨをチェックする際など順次他局の番組を選局することができるボタンである。
【００３２】
ＣＨ変更ボタン４１を押下してＣＨを連続して変更したい場合には、ＣＨ変更ボタン４１の押下を繰り返すこととしてもよいが、ＣＨ変更ボタン４１の押下状態を持続する（ＣＨ変更ボタン４１を長押しする）ことでＣＨを連続して変更することができる。
【００３３】
録画番組操作ボタン４２は録画を再生する際に所定の操作を行うためのボタン群である。録画番組操作ボタン４２は録画番組の巻き戻しを行う巻き戻しボタン４２１、録画番組の再生を行う再生ボタン４２２、録画番組の早送りを行う早送りボタン４２３、前のチャプタまで映像を戻す逆戻しスキップボタン４２４、再生を停止する停止ボタン４２５、次のチャプタまで映像を進ませる先送りスキップボタン４２６、再生を一時停止する一時停止ボタン４２７を有する。
【００３４】
チャプタは一の映像において再生時の頭出しポイントとして複数の映像部分に区分けされたものである。チャプタの設定はユーザが行うこととしてもよいし、自動的に行われることとしてもよい。自動的にチャプタが設定される場合としては近年、番組内で本編とＣＭの間にチャプタを設定する機能を有する機器が提供されている。このような場合には、ＣＭが始まった際に先送りスキップボタン４２６を押下することでＣＭ部分が飛ばされて次のチャプタの開始部分まで進み、本編の視聴をスムーズに行うことができる。
【００３５】
巻き戻しボタン４２１、早送りボタン４２３は押下回数に応じて再生速度が変更される。例えば標準速度（１．０倍速）で再生されている場合に巻き戻しボタン４２１又は早送りボタン４２３が１回押下されると話速変換再生（１．２倍速）、２回押下されると２倍速再生、３回押下されると１０倍速再生等押下回数が増えるたびに再生速度が速くなる。再生速度の上限及び下限は例えば６０倍速等に定められている。そして例えば最高倍速で早送り再生している際に早送りボタン４２３が押下されると標準速度での再生に戻る。
【００３６】
色ボタン４３は後述する表示部４に色により区別された項目や色による選択の表示がある場合に使用するボタンである。色ボタン４３は青ボタン４３１、赤ボタン４３２、緑ボタン４３３、黄ボタン４３４を有する。例えばｄボタン３７が押下され、表示部４にデータ放送が表示された場合に、青ボタン４３１にはニュース情報が、赤ボタン４３２にはユーザの居住地区の天気情報が、緑ボタン４３３にはスポーツ情報が、黄ボタン４３４には為替情報が割り当てられ、ユーザは表示させたい情報に対応した色のボタンを押下することでその情報を表示部４に表示させることができる。
【００３７】
音声切替ボタン４４は主音声の他、副音声、吹き替え、オーディオコメンタリー等複数の音声データを有する場合に、各音声データの切り替えを行うボタンである。字幕ボタン４５は字幕の表示／非表示を切り替えるボタンである。画面モードボタン４６は後述する表示部４に表示される総画素数の値を変更するボタンである。画面モードボタン４６を押下することで例えばワイドモード、ノーマルモード、ズームモード等の中から所望の画面モードを選択することができる。
【００３８】
放送切替ボタン４７は地上アナログ放送、地上デジタル放送、ＢＳ放送、ＣＳ放送を切り替えるボタンである。放送切替ボタン４７は地上アナログボタン４７１、地上デジタルボタン４７２、ＢＳボタン４７３、ＣＳボタン４７４を有し、夫々を押下することで対応する放送波に切り替えることができる。
【００３９】
表示部４は操作部３が操作されることによって所定の画像・映像が表示される表示手段である。記憶部２に記憶されている録画番組、ＢＤレコーダ１の設定を変更するための設定画面、データ放送等が表示される。なお、表示部４はＢＤレコーダ１本体に設けられていても（内蔵の表示部であっても）よいし、ＢＤレコーダ１の外部端子を介して接続される外部表示モニタ（外部の表示部）であってもよい。また、内部の表示部及び外部の表示部の双方から構成されることとしてもよい。
【００４０】
スピーカ５は操作部３が操作されることによって所定の音声が発せられる音声発生手段である。スピーカ５はＢＤレコーダ１本体に設けられていてもよいし、ＢＤレコーダ１の外部端子を介して接続される外部スピーカであってもよい。また、表示部４に設けられていることとしてもよい。
【００４１】
制御部６はＢＤレコーダ１全体を制御する制御手段である。制御部６は実行部６１、検出部６２、判定部６３、変更部６４を有する。なお、本実施形態ではＢＤレコーダ１が一の制御部６を備え、制御部６が実行部６１、検出部６２、判定部６３、変更部６４を有するものとして以下説明するが、これに限られるものではない。ＢＤレコーダ１が複数の制御部を備える構成であってもよい。
【００４２】
実行部６１は所定の処理を実行する実行手段である。実行部６１は所定の処理として表示部４に所定の表示を行う。また、実行部６１は表示部４に所定の表示を行う際に時間変数を用いる。ここで時間変数はＢＤレコーダ１を使用するユーザがリモコン３の操作に慣れているか否か、すなわち操作者（リモコン３を操作する操作者）の操作レベルに応じて定められるものである。以下、さらに詳説する。
【００４３】
検出部６２は操作者によるリモコン３に対する操作状況を検出する検出手段である。検出部６２によって検出される操作状況とは、操作者がリモコン３の操作に慣れてるか否か（操作者の操作レベル）を判定可能な情報である。具体的には長押し操作が不要なボタンの押下操作時間を示す情報、所定時間内における同一操作（同一ボタンの押下）の繰り返し頻度を示す情報、ボタンの操作間隔時間を示す情報である。なお、押下操作時間とは押下ボタンの押下状態を維持する操作の時間であり、いわゆる長押し時間のことである。
【００４４】
つまり検出部６２は操作者の操作状況を検出するために操作者に対して特別な操作を要求するのではなく、操作者が自然な（通常通りの）リモコン操作によって操作者の操作状況を検出する。なお、操作者の操作状況の検出頻度はリモコン３が操作される度に行われるものであってもよいし、定期的或いは不定期的に行われるものであってもよい。
【００４５】
すなわち操作者は各押下ボタンに割り当てられた固有の機能を使用するために押下ボタンを押下するものであって、検出部６２に操作者自身の操作状況を検出させるために押下ボタンを押下するものではない。しかし操作者の操作状況はそのような固有の機能を発揮させるための操作状況に基づいて行うことでより適切に操作状況を検出できる。そこで検出部６２は押下ボタンが押下された際の出力信号に基づいて操作者の押下ボタンに対する操作の状況を検出する。
【００４６】
判定部６３は検出部６２によって検出された操作状況に基づいて操作者の操作レベルを判定する判定手段である。
【００４７】
操作者が長押し操作が不要なボタンを長押ししている場合はそのボタンを押下することで表示部４に表示された画面を確認している等、次に行う操作を検討していると考えられる。これに対してリモコン３の操作に慣れている者であれば次に行うべき操作を熟知しており、長押し操作が不要なボタンを長押しすることはない。従って押下操作時間が長い場合には操作者の操作レベルが低い（操作に不慣れである）と判定し、押下操作時間が短い場合には操作者の操作レベルが高い（操作に慣れている）と判定する。
【００４８】
操作者が所定時間内に同一操作を繰り返している場合（繰り返し頻度が高い場合）とは例えば設定画面等を表示部４に表示して内容を確認している間に設定画面の表示が終了し、再度設定画面を表示させようと同一のボタンを押下しているような状況である。設定画面は操作が行われていない時間（無操作時間）が所定時間を超えた場合に終了されることがあり、操作に不慣れな操作者は所定時間内に次の操作を行うことができず設定画面が消えてしまうことがある。
【００４９】
これに対してリモコン３の操作に慣れている者であれば次に行うべき操作を熟知しており、無操作時間が所定時間を超えることはない。従って所定時間内における同一操作の繰り返し頻度が高い場合には操作者の操作レベルが低い（操作に不慣れである）と判定し、所定時間内における同一操作の繰り返し頻度が低い場合には操作者の操作レベルが高い（操作に慣れている）と判定する。
【００５０】
操作者によるボタンの操作間隔時間が長い場合には上述したように次に行うべき操作を検討している場合に加えて、所望のボタンがリモコン３の何処に配されているかを探している場合が考えられる。これに対してリモコン３の操作に慣れている者は次に行うべき操作を熟知しており且つリモコン３のどの位置にどのボタンが配されているかを熟知しているのでボタンの操作間隔時間が短い。従ってボタンの操作間隔時間が長い場合には操作者の操作レベルが低い（操作に不慣れである）と判定し、ボタンの操作間隔時間が短い場合には操作者の操作レベルが高い（操作に慣れている）と判定する。
【００５１】
操作レベルとしては２以上の操作レベルに区分けされており、判定部６３は操作者の操作状況に基づいて操作者がどの操作レベルに属するかを判定する。
【００５２】
変更部６４は判定部６３の判定結果、すなわち操作者の操作レベルに基づいて時間変数を変更する変更手段である。時間変数は上述したようにＢＤレコーダ１を使用するユーザがリモコン３の操作に慣れているか否か、すなわち操作者の操作レベルに応じて定められるものである。具体的に時間変数は、表示部４に表示される設定画面の表示時間、押下状態を持続することにより連続的に所定の設定が変化する押下ボタンの押下状態を持続した際の変化時間である。
【００５３】
押下状態を持続することにより連続的に所定の設定が変化する押下ボタンとは上述した移動ボタン３９１、音量ボタン４０、ＣＨ変更ボタン４１がこれに該当する。本実施形態では上記三つのボタンが該当するがこれに限られるものではなく、押下状態を維持することで連続的に設定が変化するボタンであればよい。移動ボタン３９１、音量ボタン４０、ＣＨ変更ボタン４１は上述したように夫々押下状態が維持されることでカーソル位置設定、音量設定、選局ＣＨ設定が連続的に変化する。
【００５４】
実行部６１は所定の処理として、表示部４に設定画面を時間変数に対応する表示時間表示する。また、実行部６１は所定の処理として、押下状態を持続することによる所定の設定の変化時間を時間変数に対応する時間にして表示部４に表示する。すなわち移動カーソル３９１の押下状態を維持した場合にはカーソルの変化時間（カーソルの移動速度）が時間変数に対応する時間（速度）になる。音量ボタン４０の押下状態を維持した場合には音量の変化時間（音量の変化速度）が時間変数に対応する時間（速度）になる。ＣＨ変更ボタン４１の押下状態を維持した場合にはＣＨの変化時間（ＣＨの変化速度）が時間変数に対応する時間（速度）になる。
【００５５】
以下、本実施形態のＢＤレコーダ１の制御部６が実行する処理について図３を参照して説明する。以下の図３のフローチャートの説明において「制御部６の実行部６１」、「制御部６の検出部６２」、「制御部６の判定部６３」、「制御部６の変更部６４」は夫々「実行部６１」、「検出部６２」、「判定部６３」、「変更部６４」と略して記載する。
【００５６】
ステップＳ０１において検出部６２は操作者によるリモコン３に対する操作状況を検出する。ステップＳ０２において判定部６３は検出部６２の検出結果、すなわち操作者の操作状況に基づいて操作者の操作レベルを判定する。操作者の操作レベルの判定方法は上述した通りである。
【００５７】
ステップＳ０３において変更部６４は判定部６３の検出結果、すなわち操作者の操作レベルに基づいて時間変数を変更する。時間変数は判定部６３の直近の判定結果のみに基づいて変更することとしてもよいし、判定部６３の直近の判定結果を含む複数の判定結果に基づいて変更することとしてもよい。前者とすれば現在の操作者の操作レベルをその都度判定するので、例えばレコーダ１が複数人により使用される場合に個々人に対応した操作レベルを判定できる。後者とすれば直近の判定結果のみに基づいて判定されないので急激な操作レベルの変動を抑制することができる。以下、後者について図４〜図６を参照して説明を行う。
【００５８】
図４は判定部６３による操作者の操作レベルの判定結果とその判定結果に基づいて変更部６４が変更した時間変数の対応関係を示す第１の表である。図５は判定部６３による操作者の操作レベルの判定結果とその判定結果に基づいて変更部６４が変更した時間変数の対応関係を示す第２の表である。図６は操作レベルの平均値／適正値と時間変数との対応関係を示す表である。
【００５９】
本例において判定部６３は操作者の操作レベルがレベル１〜５の内のいずれかに該当するかを判定することとする。操作レベルが小さいほど（レベル１に近づくほど）リモコン３の操作に不慣れであることを示し、操作レベルが大きいほど（レベルが５に近づくほど）リモコン３の操作に慣れていることを示すこととする。
【００６０】
変更部６４は判定部６３による直近５件の判定結果に基づいて時間変数を変更することとする。本例で時間変数は設定画面の表示時間であることとする。
【００６１】
変更部６４による時間変数の第１の変更方法は図４に示すように判定部６３の直近５件の判定結果の平均値に対応する時間変数に変更する方法である。但し、直近５件の判定結果が存しないときは存在する最大件数の平均値に対応する時間変数に変更する。すなわち、１１時５分、１１時１２分、１１時２３分、１１時３４分は直近の判定結果が夫々１件、２件、３件、４件であり、これらの平均値を算出する。
【００６２】
１１時５分での操作レベルの平均値は１（１／１）、１１時１２分での操作レベルの平均値は１（２／２）、１１時２３分での操作レベルの平均値は２（５／３＝１．６６・・・、小数点以下繰り上げで２）、１１時３４分での操作レベルの平均値は２（９／４＝２．２５、小数点以下繰り上げで３）、１１時５６分での操作レベルの平均値は３（１３／５＝２．６、小数点以下繰り上げで３）、１２時１５分での平均値は４（１７／５＝３．４、小数点以下繰り上げで４）であり、夫々の操作レベルの平均値に対応する時間変数（表示時間）に変更する。なお、本例では算出結果に対して小数点以下繰り上げを行うこととしたがこれに限られるものではなく、小数点以下四捨五入してもよいし、小数点以下切り捨てを行うこととしてもよい。
【００６３】
変更部６４による時間変数の第２の変更方法は図５に示すように判定部６３の前回の操作レベルの適正値と直近（最新）の判定結果に基づいて操作レベルの適正値を算出し、適正値に対応する時間変数に変更する方法である。本例において変更部６４は前回の操作レベルの適正値を基準として、判定部６３により判定された直近の操作レベルが前回の操作レベルの適正値よりも大きいときはその値に関わらず前回の操作レベルに１を加えた操作レベルを操作レベルの適正値とし、判定部６３により判定された直近の操作レベルが前回の操作レベルの適正値よりも小さいときはその値に関わらず前回の操作レベルから１を減じた操作レベルを操作レベルの適正値とする。なお、前回の操作レベルの適正値と直近の操作レベルが同値である場合にはその値を適正値とする。
【００６４】
１１時５分では前回の操作レベルの適正値が存在しないため直近の操作レベルである操作レベル１を適正値とする。１１時１２分では前回の操作レベルの適正値が１であり、直近の操作レベルが１である。すなわち前回の操作レベルの適正値＝直近の操作レベルであるため、操作レベル１を適正値とする。
【００６５】
１１時２３分では前回の操作レベルの適正値が１であり直近の操作レベルが３である、すなわち前回の操作レベルの適正値＜直近の操作レベルであるため、前回の操作レベルの適正値１に１を加えた操作レベル２を適正値とする。
【００６６】
１１時３４分では前回の操作レベルの適正値が２であり直近の操作レベルが４である。すなわち前回の操作レベルの適正値＜直近の操作レベルであるため、前回の操作レベルの適正値２に１を加えた操作レベル３を適正値とする。
【００６７】
１１時５６分では前回の操作レベルの適正値が３であり直近の操作レベルが４である。すなわち前回の操作レベルの適正値＜直近の操作レベルであるため、前回の操作レベルの適正値３に１を加えた操作レベル４を適正値とする。
【００６８】
１２時１５分では前回の操作レベルの適正値が４であり直近の操作レベルが５である。すなわち前回の操作レベルの適正値＜直近の操作レベルであるため、前回の操作レベルの適正値４に１を加えた操作レベル５を適正値とする。そして夫々の操作レベルの適正値に対応する時間変数（表示時間）に変更する。
【００６９】
ステップＳ０４において実行部６１は変更部６４によって変更された時間変数に基づいて所定の制御を行う。時間変数が表示部４に表示される設定画面の表示時間であるときは、設定画面の表示時間を当該表示時間に変更した上で設定画面を表示する。
【００７０】
時間変数が押下状態を持続することにより連続的に所定の設定が変化する押下ボタンの押下状態を持続した際の変化時間であるときは押下ボタンの押下状態を持続した際の変化時間を変更した上で、押下ボタンの押下状態が維持された場合に所定の設定を連続的に変化させる。具体的には移動ボタン３９１、音量ボタン４０、ＣＨ変更ボタン４１の押下状態が維持された場合に、次のカーソル位置に移動するまでの時間、次の音量に変更されるまでの時間、次のＣＨに変更されるまでの時間が時間変数に基づいて定められる。
【００７１】
本実施形態によれば、検出手段により操作者の操作状況が検出され、判定手段によって検出手段で検出された操作者の操作状況に基づいて操作者の操作レベルが判定され、変更手段によって判定手段で判定された操作者の操作レベルに基づいて時間変数が変更される。実行手段は時間変数を用いて所定の処理をする。つまり、操作者の操作レベルに応じた処理が行われるため操作者にとって操作利便性が高くなる。
【００７２】
また、検出部は操作状況として押下ボタンの押下操作時間を検出する。判定部は押下ボタンの押下操作時間に基づいて操作者の操作レベルを判定する。すなわち、押下ボタンの押下操作時間が長い操作者は次に行うべき操作が分からずに押下ボタンの押下操作を解除し忘れていると考えられる。これに対して次に行うべき操作を熟知している操作者は次々に押下ボタンを押下するため各押下ボタンに対する押下操作時間は短い。従って、押下操作時間が長い操作者ほど操作レベルが低く、押下操作時間が長い操作者ほど操作レベルが高いと判定する。これにより操作者の操作レベルを適切に判定することができる。
【００７３】
また、検出部は操作状況として所定時間内での同一操作の繰り返し頻度を検出する。判定部は所定時間内での同一操作の繰り返し頻度に基づいて操作者の操作レベルを判定する。すなわち、所定時間内で同一操作を高頻度で繰り返す操作者は一度の操作で所望の機能を発揮させることができなかったと考えられる。これに対して所望の機能の発揮のさせ方を熟知している操作者はより少ない回数の（低頻度の繰り返し）操作で所望の機能を発揮させることができる。従って所定時間内での同一操作の繰り返し頻度が高い操作者ほど操作レベルが低く、所定時間内での同一操作の繰り返し頻度が高い操作者ほど操作レベルが高いと判定する。これにより操作者の操作レベルを適切に判定することができる。
【００７４】
また、検出部は操作状況として操作者の操作間隔時間を検出する。判定部は操作者の操作間隔時間に基づいて操作者の操作レベルを判定する。すなわち、操作間隔時間が長い操作者は次に行うべき操作が分からずに次の操作を行うことができず操作間隔が長くなったと考えられる。これに対して次に行うべき操作を熟知している操作者は次々に操作を行うため操作間隔時間が短い。従って、押下間隔時間が長い操作者ほど操作レベルが低く、押下間隔時間が長い操作者ほど操作レベルが高いと判定する。これにより操作者の操作レベルを適切に判定することができる。
【００７５】
また、実行部は所定の設定画面を時間変数（設定画面の表示時間）用いて表示する。時間変数は操作者の操作レベルに基づいて変更部によって変更される。従って所定の設定画面の表示時間を操作者の操作レベルに応じて変更することができるので操作利便性が高い。
【００７６】
すなわち通常、ＢＤレコーダ等の設定を変更するための設定画面は無操作時間が所定時間を超えた場合に自動的に終了する。しかしながら操作に不慣れな操作者は設定画面を見ながらどの項目をどのように変更するかを考えるため、その考慮時間（無操作時間）が所定時間を超えると、設定画面が終了されてしまう。その場合には改めて設定画面を表示する必要があるが、設定画面は複数層に亘ることも多く、設定画面が自動的に終了される前の階層まで到達すること自体が困難である。そこで実行部は操作レベルが低い操作者に対する設定画面の表示時間を操作レベルが高い操作者に対する設定画面の表示時間よりも長時間とする。
【００７７】
また、実行部は所定の設定の変化を時間変数（所定の設定の変化時間）用いて行う。時間変数は操作者の操作レベルに基づいて変更部によって変更される。従って所定の設定の変化時間を操作者の操作レベルに応じて変更することができるので操作利便性が高い。
【００７８】
すなわち、音量の変更、選択される放送局の変更などＢＤレコーダの設定のうちいくつか設定は所定の押下ボタンの押下状態を維持することで変更可能である。それら押下ボタンを長押しした際の設定の変化時間は一定の時間である場合、長押し時間が長くなる毎に変化時間が速くなる場合等様々でがあるが、いずれであっても操作に不慣れな操作者にとっては変化時間が短く、所望の音量や所望の放送局が選択された際にタイミングよく押下ボタンから指を離すことができず行き過ぎて（変更しすぎて）しまうことがあった。その場合には改めて押下ボタンを操作して所望の位置に変更する必要がある。そこで実行部は操作レベルが低い操作者に対する設定の変化時間を操作レベルが高い操作者に対する設定の変化時間よりも長時間とする。
【符号の説明】
【００７９】
１      ＢＤレコーダ（電子機器）
２      記憶部
３      操作部
４      表示部
５      スピーカ
６      制御部
４０    音量ボタン
４１    ＣＨ変更ボタン
６１    実行部
６２    検出部
６３    判定部
６４    変更部
【図１】
2014099092.tif 000003
【図２】
2014099092.tif 000004
【図３】
2014099092.tif 000005
【図４】
2014099092.tif 000006
【図５】
2014099092.tif 000007
【図６】
2014099092.tif 000008